【手続補正書】
【提出日】平成27年5月15日(2015.5.15)
【手続補正１】
【補正対象書類名】特許請求の範囲
【補正対象項目名】全文
【補正方法】変更
【補正の内容】
【特許請求の範囲】
【請求項１】
携帯クライアント端末の位置識別の電算化方法であって、
携帯クライアント端末で実行される複数のアプリケーションを監視するステップと、
複数のアプリケーションポリシーを提供するステップと、ただし、前記アプリケーションポリシーの各々は、前記複数のアプリケーションの１つによって前記携帯クライアント端末の少なくとも１つの入力ハードウェアコンポーネントを使用するために複数の動作モードを指定する、
複数のビーコン装置の複数の物理的位置を画定するマッピングデータセットを携帯クライアント端末に提供するステップと、
前記複数のビーコン装置の少なくとも１つから送信される少なくとも１つの特異的信号を前記携帯クライアント端末で受信するステップと、
前記少なくとも１つの特異的信号の各々から前記複数のビーコン装置の中の１つのビーコン装置の識別子を抽出するステップと、
前記マッピングデータセットを用いて前記識別子と前記複数の物理的位置の中の１つとの間の照合を行なうステップと、
前記照合に従って前記携帯クライアントの位置を識別するステップと
前記複数のアプリケーションの各々について、前記位置に従って、前記複数の動作モードの１つを選択するステップと、
を含む方法。
【請求項２】
前記少なくとも１つの特異的信号の各々の信号強度を測定するステップをさらに含み、前記携帯クライアントの位置を識別するステップは、前記信号強度に従って前記複数の物理的位置の各々からの物理的距離を算出することをさらに含む、請求項１に記載の方法。
【請求項３】
前記物理的距離は３メートル未満である、請求項２に記載の方法。
【請求項４】
前記物理的距離は１メートル未満である、請求項３に記載の方法。
【請求項５】
前記携帯クライアントの前記位置を出力するステップをさらに含む、請求項１に記載の方法。
【請求項６】
前記複数の物理的位置は限定空間の境界内にある、請求項１に記載の方法。
【請求項７】
前記マッピングデータセットは前記限定空間内の格子状座標に従って定義され、前記物理的位置は前記格子状座標に従って提供される、請求項６に記載の方法。
【請求項８】
携帯クライアント端末の入力ハードウェアコンポーネントの動作を変更するための電算化方法であって、
携帯クライアント端末で実行される複数のアプリケーションを監視するステップと、
複数のアプリケーションポリシーを提供するステップと、ただし、前記アプリケーションポリシーの各々は、前記複数のアプリケーションの１つによって前記携帯クライアント端末の少なくとも１つの入力ハードウェアコンポーネントを使用するために複数の動作モードを指定し、各前記動作モードが複数の地理的領域の少なくとも１つに関連付けられる、
前記携帯クライアント端末の現在位置データを受信するステップと、
前記複数のアプリケーションの少なくとも１つについて、前記複数の地理的領域の１つと前記現在位置データとの間の一致に従って、前記複数の動作モードの１つを選択するステップと
を含む方法。
【請求項９】
前記複数の動作は、前記少なくとも１つの入力ハードウェアコンポーネントの出力をフィルタリングすること、前記少なくとも１つの入力ハードウェアコンポーネントを作動停止させること、前記少なくとも１つの入力ハードウェアコンポーネントの出力を暗号化すること、前記少なくとも１つの入力ハードウェアコンポーネントの出力を経路変更することから成る群の構成要素を含む、請求項８に記載の方法。
【請求項１０】
前記少なくとも１つの入力ハードウェアコンポーネントはカメラを含む、請求項８に記載の方法。
【請求項１１】
前記少なくとも１つの入力ハードウェアコンポーネントは、前記携帯クライアント端末に位置するポートを介して前記携帯クライアント端末に接続された補助装置である、請求項８に記載の方法。
【請求項１２】
前記少なくとも１つの入力ハードウェアコンポーネントは、可聴入力センサ、視覚的入力センサ、触覚入力センサ、および機械的入力センサから成る群から選択されたセンサを含む、請求項８に記載の方法。
【請求項１３】
前記少なくとも１つの入力ハードウェアコンポーネントはマイクロホンを含む、請求項８に記載の方法。
【請求項１４】
前記少なくとも１つの入力ハードウェアコンポーネントは測位ユニットを含む、請求項８に記載の方法。
【請求項１５】
前記位置データは限定空間の境界内の領域を参照し、前記ポリシーは前記境界に制限される、請求項８に記載の方法。
【請求項１６】
請求項８に記載の電算化方法であって、
複数の物理的位置に複数のビーコン装置を配置するステップと、
前記複数のビーコン装置の各々を前記複数の物理的位置から選択されたそれぞれの物理的位置にマッピングするマッピングデータセットに前記複数の地理的領域を提供するステップと、
前記複数の地理的領域を有する前記マッピングデータセットを前記携帯クライアント端末に送信するステップと
を含む方法。
【請求項１７】
前記複数の物理的位置は仮想的格子状座標に従って定義され、前記物理的位置は前記格子状座標に従って提供される、請求項１６に記載の方法。
【請求項１８】
前記複数のビーコン装置は、無線周波数信号、赤外線信号、およびソナー信号から成る群から選択されたビーコン信号を送信する電気ビーコン装置である、請求項１６に記載の方法。
【請求項１９】
前記複数のビーコン装置の各々は、電気信号送信を独立して一斉通信する、請求項１８に記載の方法。
【請求項２０】
各前記電気信号送信は特異的であり、前記複数のビーコン装置の中の対応するビーコン装置の一意の識別子を含む、請求項１９に記載の方法。
【請求項２１】
前記電気信号送信は連続的である、請求項１９に記載の方法。
【請求項２２】
携帯クライアント端末であって、
プロセッサと、
複数のビーコン装置識別子の複数の物理的位置を定義するマッピングデータセットを格納するリポジトリと、
ビーコン装置によって送信された少なくとも１つのビーコン信号から前記複数のビーコン装置識別子の中の第１識別子を抽出するビーコン信号解析モジュールと、
前記プロセッサを使用して、前記第１ビーコン識別子と前記マッピングデータセットとの間の一致に従って前記複数の物理的位置の中の１つを選択する位置マッピングモジュールと、
前記選択された物理的位置に従って、前記携帯クライアント端末によってホスティングされる複数のアプリケーションの少なくとも１つを自動的に使用不能にさせるアプリケーション管理モジュールと
前記複数のアプリケーションの各々１つについて、動作モードに基づいて位置を指示するアプリケーションポリシーと、
を含む携帯クライアント端末。
【請求項２３】
前記アプリケーション管理モジュールは、前記選択された物理的位置に従って前記複数のアプリケーションを優先する、請求項２２に記載の携帯クライアント端末。
【請求項２４】
前記アプリケーション管理モジュールは、前記選択された物理的位置に従って前記複数のアプリケーションの少なくとも１つを起動させる、請求項２２に記載の携帯クライアント端末。
【請求項２５】
前記アプリケーション管理モジュールは、前記選択された物理的位置に従って前記複数のアプリケーションの少なくとも１つが記憶装置にアクセスすることを容易化する、請求項２２に記載の携帯クライアント端末。